(57)【要約】【課題】  アドレス期間中にアドレス電極を担当する色別に分けて電圧印加時点を異ならせて電磁波を低減させ、Ｒ、Ｇ、Ｂの放電セルを同時に発光させることによって自然色をきれいに表示する。【解決手段】  アドレス期間中にアドレス電極を担当する色別に分けて電圧印加時点を異なるようにして電磁波を低減させ、Ｒ、Ｇ、Ｂの放電セルを同時に発光するようにして自然色をきれいに表示する。【選択図】            図４
2006047983.tif 000002
【特許請求の範囲】
【請求項１】
複数の第１電極及び第２電極、そして前記第１及び第２電極に交差する複数の第３電極を含み、隣接した前記第１電極、第２電極及び第３電極によって複数の色を発光させる放電セルが形成されるプラズマ表示装置の駆動方法において、
アドレス期間で、
（ａ）前記第１電極に第１電圧を印加する段階と、
（ｂ）前記第１電極に第１電圧が印加される間に第１色に対応する第３電極に前記第１電圧より高い第２電圧を印加する段階と、
（ｃ）前記第１電極に第１電圧が印加される間に第２色に対応する第３電極に前記第１電圧より高い第３電圧を前記第２電圧印加時点後に印加する段階と、
を含むプラズマ表示装置の駆動方法。
【請求項２】
（ｄ）前記第１電極に第１電圧が印加される間に第３色に対応する第３電極に前記第１電圧より高い第４電圧を印加する段階をさらに含むことを特徴とする、請求項１に記載のプラズマ表示装置の駆動方法。
【請求項３】
前記第１色に対応する第３電極に印加される第２電圧の電圧印加終了時点と、第２色に対応する第３電極に印加される第３電圧の電圧印加終了時点は同一であることを特徴とする、請求項１に記載のプラズマ表示装置の駆動方法。
【請求項４】
前記第１色に対応する第３電極に印加される第２電圧の電圧印加終了時点は、第２色に対応する第３電極に印加される第３電圧の電圧印加終了時点より遅いことを特徴とする、請求項１に記載のプラズマ表示装置の駆動方法。
【請求項５】
前記第４電圧、第３電圧及び第２電圧の電圧レベルは同一であることを特徴とする、請求項２に記載のプラズマ表示装置の駆動方法。
【請求項６】
前記第１色に対応する第３電極に印加される第２電圧の電圧印加終了時点、前記第２色に対応する第３電極に印加される第３電圧の電圧印加終了時点及び前記第３色に対応する第３電極に印加される第４電圧の電圧印加終了時点は全て同一であることを特徴とする、請求項２に記載のプラズマ表示装置の駆動方法。
【請求項７】
前記第１色に対応する第３電極に印加される第２電圧、前記第２色に対応する第３電極に印加される第３電圧及び前記第３色に対応する第３電極に印加される第４電圧で電圧印加終了順は第４電圧、第３電圧、第２電圧の順であることを特徴とする、請求項２に記載のプラズマ表示装置の駆動方法。
【請求項８】
前記第１色は放電ディレイが最も長い放電セルが担当する色であることを特徴とする、請求項１乃至７のうちのいずれか一項に記載のプラズマ表示装置の駆動方法。
【請求項９】
前記第１色は緑色（Ｇ）であることを特徴とする、請求項８に記載のプラズマ表示装置の駆動方法。
【請求項１０】
前記第３色は放電ディレイが最も短い放電セルが担当する色であることを特徴とする、請求項８に記載のプラズマ表示装置の駆動方法。
【請求項１１】
前記第３色は青色（Ｂ）であることを特徴とする、請求項１０に記載のプラズマ表示装置の駆動方法。
【請求項１２】
複数のアドレス電極及び複数の走査・維持電極によって複数色の光を発する放電セルが形成されたプラズマパネルと、
映像信号の入力を受けて前記映像信号に対応する制御信号を生成する制御部と、
前記制御部によって生成された制御信号によって前記アドレス電極に電圧印加をするアドレス駆動部と、
前記制御部によって生成された制御信号によって前記走査・維持電極に電圧印加をする走査・維持電極駆動部を含み、
前記アドレス駆動部は蛍光体の色に対応するアドレス電極別に前記アドレス電圧の印加時点を別にするプラズマ表示装置。
【請求項１３】
前記アドレス駆動部は、
第１色に対応するアドレス電極に第２電圧を印加する第１駆動部と、
第２色に対応するアドレス電極に第３電圧を印加する第２駆動部と、
第３色に対応するアドレス電極に第４電圧を印加する第３駆動部と、
を含むことを特徴とする、請求項１２に記載のプラズマ表示装置。
【請求項１４】
前記第２電圧、第３電圧及び第４電圧の電圧レベルは全て同一であることを特徴とする、請求項１３に記載のプラズマ表示装置。
【請求項１５】
前記第１、第２、第３駆動部で前記アドレス電極の電圧印加を終了する時点は駆動部の種類に関係なく同一であることを特徴とする、請求項１３または１４に記載のプラズマ表示装置。
【請求項１６】
前記第１色は放電ディレイが最も長い放電セルが担当する色であることを特徴とする、請求項１３または１４に記載のプラズマ表示装置。
【請求項１７】
前記第１色は緑色（Ｇ）であることを特徴とする、請求項１５に記載のプラズマ表示装置。
【請求項１８】
前記第３色は放電ディレイが最も短い放電セルが担当する色であることを特徴とする、請求項１５に記載のプラズマ表示装置。
【請求項１９】
前記第３色は青色（Ｂ）であることを特徴とする、請求項１８に記載のプラズマ表示装置。
【発明の詳細な説明】
【技術分野】
【０００１】
本発明はプラズマ表示装置及びその駆動方法に関し、特にアドレス期間中にアドレス電極を担当色別に分別して電圧印加を異ならせて開始することによって、不要電磁波を低減させるプラズマ表示装置及びその駆動方法に関する。
【背景技術】
【０００２】
最近、液晶表示装置（以下、ＬＣＤと言う）、電界放出表示装置（以下、ＦＥＤと言う）、プラズマ表示装置などの平面表示装置が活発に開発されている。これら平面表示装置の中でプラズマ表示装置は他の平面表示装置に比べて輝度及び発光効率が高くて視野角が広いという長所がある。したがって、プラズマ表示装置が４０インチ以上の大型表示装置で従来の陰極線管（以下、ＣＲＴと言う）を代替する表示装置として脚光を浴びている。
【０００３】
図１はこのようなプラズマ表示装置の電極配列図である。
【０００４】
図１に示したように、プラズマ表示装置の電極はｍ×ｎのマトリックス形態で配列され、具体的に列方向にはアドレス電極（以下、‘Ａ電極’と言う）Ａ１−Ａｍが配列されており、行方向にはｎ行の走査電極（以下、‘Ｙ電極’と言う）Ｙ１−Ｙｎ及び維持電極（以下、‘Ｘ電極’と言う）Ｘ１−Ｘｎがジグザグに配列されている。ここで、Ａ電極Ａ１−ＡｍとＸ及びＹ電極Ｘ１−Ｘｎ、Ｙ１−Ｙｎの交差部にある放電空間が放電セル１１０を形成する。
【０００５】
このようなプラズマ表示装置の駆動方法は時間による動作変化で説明することができるが、一般にリセット期間、アドレス期間及び維持期間に分けることができる。
【０００６】
リセット期間は放電セルにアドレシング動作が円滑に行われるように各放電セルの状態を初期化する期間であり、アドレス期間はパネルの中で点灯する放電セルと点灯しない放電セルを選別するために点灯する放電セル（アドレシングされた放電セル）にアドレス電圧を印加して壁電荷を積む動作を行う期間である。維持期間は維持パルスを印加してアドレシングされた放電セルに実際に画像を表示するための放電を行う期間である。
【０００７】
一般にアドレス期間にはＹ電極Ｙ１−ＹｎにＹ１からＹｎの順にスキャン電圧Ｖｓｃａｎを印加する。一つのＹ電極にスキャン電圧が印加される時、Ａ電極Ａ１−Ａｍに選択的にアドレス電圧を印加して、全ての放電セルのうちの所望の放電セルをアドレシングする。維持期間には全てのＹ電極Ｙ１−ＹｎとＸ電極Ｘ１−Ｘｎに維持パルスを印加してアドレシングされた放電セルを放電させて画像を表示する。
【０００８】
図２はプラズマ表示装置でアドレス期間中の電極別駆動波形を示したグラフである。
【０００９】
放電セルは一般にＲ（赤）、Ｇ（緑）、Ｂ（青）のうちのいずれか一つを表示する。そして、  Ａ電極Ａ１−Ａｍは各々前記Ｒ、Ｇ、Ｂのうちの一つの色のみを担当する。
【００１０】
図２のようにアドレス期間中にはＹ電極にスキャン電圧Ｖｓｃａｎ印加を開始すると同時に、Ａ電極にアドレス電圧Ｖａを印加する。
【００１１】
この時、Ｙ電極とＡ電極に電圧Ｖｓｃａｎ、Ｖａを印加する操作を開始すると同時にアドレシングされるものではなく、前記Ｙ電極とＡ電極に各々スキャン電圧Ｖｓｃａｎとアドレス電圧Ｖａが印加されていれば一定期間の放電ディレイ後に放電が起こりながら光を発し、これと共にアドレシングが行われる。
【００１２】
この放電が起こる時期は、通常、Ｒ、Ｇ、Ｂの色を表示する放電セルごとに異なる。一般にはＧ蛍光体が形成された放電セルの放電ディレイが最も長く、その次にＲ蛍光体、Ｂ蛍光体の順に放電ディレイが短くなる。
【００１３】
このようなアドレシング方法は、多くの電極に電圧を同時に印加するために、多くの時点で放電電磁波が発生する問題があって、高い周波数で変調された放電電磁波を生じ、これと共にＲ、Ｇ、Ｂの色を表示する放電セルの放電ディレイが互いに異なって同時に放電が起こらず、結果的にＲ、Ｇ、Ｂの光が同時に発光できなかったために一つのピクセルで自然色をきれいに表示することが難しかった。
【発明の開示】
【発明が解決しようとする課題】
【００１４】
本発明が解決しようとする技術的課題は、前記従来技術の問題点を解決するためのものであってアドレス期間中に、  色の異なる放電セルが同時に又は時間的に接近して放電するように、アドレス電極を担当色別に分別して電圧印加時点を異ならせることにより、放電不一致により発生する電磁波成分を低減させるプラズマ表示装置及びその駆動方法を提供することにある。
【課題を解決するための手段】
【００１５】
前記目的を達成するための本発明の特徴によるプラズマ表示装置の駆動方法は、複数の第１電極及び第２電極、そして前記第１及び第２電極に交差する複数の第３電極を含み、隣接した前記第１電極、第２電極及び第３電極によって複数の色を発光させる放電セルが形成されるプラズマ表示装置の駆動方法において、アドレス期間で、（ａ）前記第１電極に第１電圧を印加する段階、（ｂ）前記第１電極に第１電圧が印加される間に第１色に対応する第３電極に前記第１電圧より高い第２電圧を印加する段階、（ｃ）前記第１電極に第１電圧が印加される間に第２色に対応する第３電極に前記第１電圧より高い第３電圧を前記第２電圧印加時点後に印加する段階を含むことを特徴とする。
【００１６】
本発明の他の特徴によるプラズマディスプレイパネルの駆動装置は、複数のアドレス電極及び複数の走査・維持電極によって複数色の光を発する放電セルが形成されたプラズマパネル、映像信号を受信して前記映像信号に対応する制御信号を生成する制御部、前記制御部によって生成された制御信号によって前記アドレス電極に電圧印加をするアドレス駆動部、前記制御部によって生成された制御信号によって前記走査・維持電極に電圧印加をする走査・維持電極駆動部を含み、前記アドレス駆動部は蛍光体の色に対応するアドレス電極別に前記アドレス電圧の印加時点を異ならせることを特徴とする。
【発明の効果】
【００１７】
本発明によるプラズマ表示装置ではアドレス期間中に、色の異なる放電セルが同時に又は時間的に接近して放電するように、アドレス電極を担当色別に分別して電圧印加時点を異ならせ、放電不一致により発生する電磁波成分を低減させることができる。
【発明を実施するための最良の形態】
【００１８】
以下、添付した図面を参照して本発明の実施形態について本発明の属する技術分野における通常の知識を有する者が容易に実施できるように詳細に説明する。しかし、本発明は多様で相異なる形態で実現することができ、ここで説明する実施形態には限定されない。
【００１９】
図面で本発明を明確に説明するために説明上不必要な部分は省略した。明細書全体に渡って類似な部分については同一図面符号を付けた。
【００２０】
次に、本発明の実施形態によるプラズマ表示装置及びその駆動方法について図３及び図４を参照して詳細に説明する。
【００２１】
図３は本発明の実施形態によるプラズマ表示装置の構成図である。
【００２２】
図３に示したプラズマ表示装置は、プラズマパネル１００、制御部２００、アドレス駆動部３００、走査・維持駆動部４００を含む。
【００２３】
プラズマパネル１００は列方向に隔壁により区画された複数の色別空間を含み、前記複数の色別空間にはＲ、Ｇ、Ｂの蛍光体が、隔壁面や隔壁間底面に、所定の順に配置されている。
【００２４】
前記プラズマパネル１００は前記隔壁に沿って列方向に配列されている複数のＡ電極Ａ１−Ａｍ、そして行方向に配列されている複数のＸ電極Ｘ１−Ｘｎ及びＹ電極Ｙ１−Ｙｎを含む。
【００２５】
ここで、前記色別空間に形成されたＲ、Ｇ、Ｂの蛍光体に沿って形成されたＡ電極Ａ１−ＡｍとＸ及びＹ電極Ｘ１−Ｘｎ、Ｙ１−Ｙｎの交差部にある放電空間が放電セル１１０を形成し、前記放電セル１１０は放電時にＲ、Ｇ、Ｂのうちのいずれか一つの色を表示する。
【００２６】
制御部２００は外部から映像信号を受信してＡ電極駆動信号、Ｘ電極駆動信号及びＹ電極駆動信号を出力する。
【００２７】
アドレス駆動部３００は制御部２００からＡ電極駆動信号を受信して表示しようとする放電セル１１０を選択するための表示データ信号を各Ａ電極Ａ１−Ａｍに印加する。
【００２８】
本発明の実施形態による前記アドレス駆動部３００はＲ駆動部（Ｒ色の蛍光体に沿って形成されたＡ電極を駆動する駆動部）３１０、Ｇ駆動部（Ｇ色の蛍光体に沿って形成されたＡ電極を駆動する駆動部）３２０及びＢ駆動部（Ｂ色の蛍光体に沿って形成されたＡ電極を駆動する駆動部）３３０を含む。
【００２９】
前記アドレス駆動部３００では、制御部２００からＡ電極駆動信号を受信してＲ駆動部３１０、Ｇ駆動部３２０及びＢ駆動部３３０に送る。この時、前記Ｒ駆動部３１０、Ｇ駆動部３２０及びＢ駆動部３３０は前記Ａ電極駆動信号によってＡ電極にアドレス電圧を印加する時、電圧印加時点を色毎に調節して、現実には互いに異なる時点にＡ電極にアドレス電圧を印加して、各色の放電時点が一致または接近するように構成される。
【００３０】
つまり、放電ディレイが最も長いＧ蛍光体の放電失敗を防止するために先にＧ駆動部３２０を駆動させてＧ色の蛍光体に沿って形成されたＡ電極（以下、Ａ＿Ｇ電極）にアドレス電圧を印加する。その後、Ｒ駆動部３１０、Ｂ駆動部３３０を順次に駆動させてＲ色の蛍光体に沿って形成されたＡ電極（以下、Ａ＿Ｒ電極）及びＢ色の蛍光体に沿って形成されたＡ電極（以下、Ａ＿Ｂ電極）に各々アドレス電圧を印加するように構成される。
【００３１】
走査・維持駆動部４００は制御部２００からＹ電極駆動信号及びＸ電極駆動信号を受信してＹ電極Ｙ１−Ｙｎ及びＸ電極Ｘ１−Ｘｎに駆動電圧を印加する。
【００３２】
図４を参照して本発明の実施形態によるプラズマ表示装置でアドレス期間中の駆動波形を詳細に説明する。
【００３３】
本発明の実施形態によるアドレシング過程は次の通りである。
【００３４】
一つのＹ電極（例えばＹ１）にスキャン電圧Ｖｓｃａｎ印加を開始し、Ｇ駆動部３２０を駆動してＡ＿Ｇ電極にアドレス電圧Ｖａを印加する。少し後にＲ駆動部３１０を駆動してＡ＿Ｒ電極にアドレス電圧Ｖａを印加し、もう少し後に、Ｂ駆動部３３０を駆動してＡ＿Ｂ電極にアドレス電圧Ｖａを印加する。そして、選択しようとする放電セルが全て発光すれば前記Ｙ電極とＡ電極に電圧Ｖｓｃａｎ、Ｖａ印加を中止する。
【００３５】
前記Ｙ電極Ｙ１にスキャン電圧を印加して当該Ｙ電極Ｙ１が関係する放電セルのアドレシングを終えた後、プラズマパネルの残りＹ電極Ｙ２−Ｙｎにも所定の順にスキャン電圧を印加し、上述した方法でアドレシングして全ての放電セルのアドレシングを終える。
【００３６】
この時、Ｒ駆動部３１０、Ｇ駆動部３２０、Ｂ駆動部３３０を駆動してＡ＿Ｒ電極、Ａ＿Ｇ電極、Ａ＿Ｂ電極にアドレス電圧を印加する時点をＲ、Ｇ、Ｂ蛍光体の放電ディレイによって適切に調節すれば、Ｒ、Ｇ、Ｂを示す放電セルを同時に発光させることができる。例えば、Ｒ、Ｇ、Ｂ蛍光体の放電ディレイを各々５、７、３ｍｓであると仮定すれば、まず、Ｇ駆動部３２０を駆動させてＡ＿Ｇ電極にアドレス電圧を印加し、２ｍｓ後にＲ駆動部３１０を駆動させてＡ＿Ｒ電極にアドレス電圧を印加し、再び２ｍｓ後にＢ駆動部３３０を駆動させてＡ＿Ｂ電極にアドレス電圧を印加することによってＲ、Ｇ、Ｂ蛍光体を同時に発光させることができる。
【００３７】
本発明の実施形態によるプラズマ表示装置の駆動方法は選択しようとする放電セルが全て発光すれば全てのＡ電極のアドレス電圧印加を同時に中止したが、Ａ＿Ｒ電極、Ａ＿Ｇ電極、Ａ＿Ｂ電極のアドレス電圧印加中止時点が異なるように決定することによって電磁波をさらに減らすことができる。
【００３８】
例えば、Ｒ、Ｇ、Ｂ蛍光体の放電ディレイを各々５、７、３ｍｓであると仮定すれば、０ｍｓの時点でＧ駆動部３２０を駆動して電圧を印加させ、１ｍｓの時点でＲ駆動部３１０を駆動させ、２ｍｓの時点でＢ駆動部３３０を駆動させれば、５ｍｓの時点でＢ蛍光体が発光し、６ｍｓの時点でＲ蛍光体が発光し、７ｍｓの時点でＧ蛍光体が発光する。したがって、前記５ｍｓの時点でＢ駆動部３３０の駆動を中止し、６ｍｓの時点でＲ駆動部３１０の駆動を中止し、７ｍｓの時点でＧ駆動部３２０の駆動を中止することによってアドレス電圧印加中止時点が異なるように決定することができる。
【００３９】
また、本実施形態ではＧ、Ｒ、Ｂ蛍光体の順に放電ディレイが短くなるために、Ｇ駆動部３２０、Ｒ駆動部３１０、Ｂ駆動部３３０の順に当該駆動部を駆動したが、蛍光体の放電ディレイ長さの順が変われば、それに基づいてアドレス電圧印加時点を変更することができる。例えばＲ、Ｇ、Ｂ蛍光体の順に放電ディレイが短くなれば、Ｒ駆動部３１０、Ｇ駆動部３２０、Ｂ駆動部３３０の順に当該駆動部を駆動することができる。
【００４０】
以上、本発明の好ましい実施形態について詳細に説明したが、本発明の権利範囲はこれに限定されるわけではなく、請求範囲で定義している本発明の基本概念を利用した当業者の多様な変形及び改良形態もまた本発明の権利範囲に属する。
【産業上の利用可能性】
【００４１】
本発明は、プラズマ表示装置において利用することができる。
【図面の簡単な説明】
【００４２】
【図１】プラズマ表示装置の電極配列図を示す。
【図２】従来技術によるプラズマ表示装置でアドレス期間中の電極別駆動波形を示したグラフである。
【図３】本発明の実施形態によるプラズマ表示装置の構成図である。
【図４】本発明の実施形態によるプラズマ表示装置でアドレス期間中の電極別駆動波形を示したグラフである。
【符号の説明】
【００４３】
１００  プラズマパネル
１１０  放電セル
２００  制御部
３００  アドレス駆動部
３１０  Ｒ駆動部
３２０  Ｇ駆動部
３３０  Ｂ駆動部
４００  走査・維持駆動部
Ａ１−Ａｍ  Ａ電極
Ｖａ  アドレス電圧
Ｖｓｃａｎ  スキャン電圧
Ｘ１−Ｘｎ  Ｘ電極
Ｙ１−Ｙｎ  Ｙ電極
【図１】
2006047983.tif 000003
【図２】
2006047983.tif 000004
【図３】
2006047983.tif 000005
【図４】
2006047983.tif 000006